(57)【要約】【課題】ウェブ閲覧機能を搭載したカメラ付携帯電話機からインターネット経由での画像情報印刷時において、印刷時に必要な機材等の手間を減らし、簡単な印刷環境を可能とする。【解決手段】ウェブ閲覧機能を搭載し電子メールに携帯電話機内の画像情報を添付できるカメラ付携帯電話機を使い、ウェブサイトに転送しておいた画像情報をインターネット経由で印刷を操作する方法を提供する。特に携帯電話機で操作する事を特徴とする。【選択図】  図１
2004171505.tif 000002
【特許請求の範囲】
【請求項１】
本発明はインターネットに接続でき、ウェブ閲覧機能を搭載し、画像を電子メールで送信できる機能を搭載し、本体に画像を保存できる機能をもつカメラ付き携帯電話機で画像情報をウェブ上に登録し、商業施設に設置された商業施設内コンピュータと印刷端末を前記携帯電話機からの操作で印刷を可能とするシステム及び装置である。
【請求項２】
請求項１において各商業施設に設置するコンピュータと印刷端末は、商業施設内に複数配置し便宜を図る場合、商業施設内に印刷を制御する商業施設内コンピュータを設置し、印刷端末を印刷機として必要な最低限の機能のみを搭させ、コストを抑えられる特徴を持つ。
【請求項３】
請求項２において商業施設内に印刷を制御する商業施設内コンピュータと印刷端末を無線ＬＡＮを採用する事で、配置のバリエーションを自由に組む事が可能になる特徴を持つ。
【請求項４】
請求項１において各印刷端末と前記携帯電話機を、ＩＤなどによるマッチングを行う事によって商業施設内に複数存在する印刷端末の中から利用したい印刷端末を特定する事が可能である事を特徴とする。
【発明の詳細な説明】
【０００１】
【発明の属する技術分野】
本発明は、前記携帯電話機によりインターネット上に設置したウェブサーバに画像情報を登録し、任意の商業施設内のコンピュータに接続された印刷端末から画像情報を印刷するシステム及び方法に関し、特に、携帯電話機上の操作により画像情報を任意の商業施設内のコンピュータに接続された印刷端末機から出力させるシステムおよび方法に関する。
【０００２】
【従来の技術】
近年、携帯電話機のインターネット対応と普及は増加の一途にある。そのため携帯電話機の機能も増加の一途にあり、本体に画像情報の保存機能や、その画像情報を電子メールによる送信機能により、携帯電話機使用者に多大な便宜を供与しているといえる。
【０００３】
また、カメラ機能を搭載した携帯電話機も普及しはじめており、携帯電話の画像情報は閲覧するだけではなく、印刷の用途が要求されるといえる。
【０００４】
【発明が解決しようとする課題】
しかし携帯電話機に印刷機能は搭載されておらず、元来、単体の印刷装置は比較的、重量や体積があることから、携帯するには不向きな装置といえる。
【０００５】
また、携帯電話機には印刷する画像を保存しておかなければならない。携帯電話機の内部に保存できる画像情報の容量は固定されており、機種によってもその容量は様々であるが、その容量が画像情報の利用用途に比べて十分に確保できない現状もあるといえる。
【０００６】
本発明は上記課題に鑑みてなされたものであり、請求項１の携帯電話機より操作し任意の商業施設内に設置された印刷端末から画像の印刷を可能とする。
【０００７】
【課題を解決するための手段】
請求項１において、インターネットにウェブを閲覧できる機能を搭載し、画像情報が送信できる機能を搭載したカメラ機能付き携帯電話機と、インターネットに接続された携帯電話機から送信された画像情報を保存するため、ウェブサイトとしてサーバを設置し、携帯電話機に保存されている画像をインターネット上でのウェブサイトに転送を可能とする。
【０００８】
ウェブサイトと実際に印刷をする印刷端末をインターネット通信で結び、前記携帯電話機のブラウザ機能で選択された操作情報をウェブサイトでコントロールし印刷情報を商業施設内に送信し印刷を行う。
【０００９】
また、請求項２の本発明は、請求項１のシステムにおいて、印刷端末を一つの商業施設内に複数設置する場合、商業施設内にウェブサイトとインターネット通信をするコンピュータを配置し、ネットワークプリンタとして最低限の機能を装備させた印刷端末を配置する事を特徴とする。
【００１０】
【発明の実施の形態】
図２は請求項１の画像情報をウェブサイトに送る構成例である。また図４は図２の構成のチャートを示す。
【００１１】
図１は請求項１の携帯電話機の操作によって、ネットワークを介して商業施設内にある印刷端末から印刷する構図例である。図１において（２）及び（３）は商業施設内に単数設置した場合を示し、（４）及び（５）（６）（８）は複数台印刷端末機を設置した場合の例を示す。また、図３はそのチャートを示す。
【００１２】
図５は請求項１の形態電話機の操作と印刷端末とのマッチングの構図を示す。
【００１３】
ウェブサイトへ画像情報を登録をする際、利用者は請求項１の携帯電話機から画像情報（１３）を電子メールに添付させ、ウェブサイト（２９）、（９）で定められた電子メールアドレスに送信する。（３０）（１０）
【００１４】
送信された画像情報を添付された電子メールはウェブサイト（９）で受信され（３１）、その画像情報をウェブサイト内の一時的な保管領域に格納する。（３２）
【００１５】
保管された画像情報はその一時的な保管する有効期限を設け（３４）、画像情報を送信してきた電子メールアドレスにウェブサイト内のＵＲＬを記述した電子メールを送信する。（３４）（１１）（１４）
【００１６】
ウェブサイトから送信された電子メールを受信する。（１１）（３３）
【００１７】
利用者はウェブサイトから送信されたＵＲＬ（１５）へ前記携帯電話機でアクセスし、携帯電話機に付属している識別ＩＤと一時保管しておいた画像情報を正式に保管する。（３５）（１２）
【００１８】
但し、このウェブサイトから送信されたＵＲＬへのブラウザ上からのアクセスが任意に定めた有効期限内でなければ、ウェブサイトへの画像送信作業は受理されず、一時的に保管された画像情報は削除される。
【００１９】
携帯電話機から商業施設内に設置された印刷端末から印刷する際、利用者は商業施設内に設置されている印刷端末機（４１）とウェブサイト（３７）にアクセスしている携帯電話（４０）を一致させるため、各印刷端末に発行されているＩＤ（４１）を携帯電話上から公式サイトの印刷ページへアクセス（１７）し入力する。（４０）
【００２０】
前記携帯電話機にＩＤを入力後（４０）、印刷端末上の操作ボタン（２１）と携帯電話機のブラウザの送信キーを押し（１８）、公式サイトへ送信する。（３８）（３９）
【００２１】
双方の受信（１９），（２０）の時間差が任意に定めた許容範囲であればマッチングをし、ウェブサイトは携帯電話機の操作する先の印刷機を記憶する。（２２）
【００２２】
前記携帯電話機のウェブブラウザ機能を操作し、ウェブサイトにアクセスする。（２３）
【００２３】
携帯電話機の識別ＩＤを取得し、保存された画像の一覧を携帯電話機に表示する。
【００２４】
携帯電話機の画面上から印刷したい画像を選択し、携帯の送信キーを操作する。（２４）
【００２５】
ウェブサイト側で受信し、商業施設内のコンピュータに印刷情報が送信される。
【００２６】
一時的に保存されているマッチングした携帯電話機と商業施設内コンピュータ情報は削除される。（２５）
【００２７】
商業施設内端末コンピュータに接続されたプリンタから画像情報が印刷される。（２６）（２７）
【００２８】
【発明の効果】
【００２９】
携帯電話機のカメラで撮影した画像がプリント装置を携帯せずとも、付近の商業施設内に設置された印刷端末から印刷が出来るようになる。
【００３０】
携帯電話機を直接、印刷装置等に接続しなくても印刷が可能である。
【００３１】
携帯電話機の本体内から画像をウェブサイトに転送するので携帯電話機内の画像を記憶させる容量の制限が緩和される。
【００３２】
印刷する過程を利用者が携帯電話機から操作する為、印刷端末は複雑な操作パネル等の装置が不要であり低コスト化する事が可能である。
【００３３】
【図面の簡単な説明】
【００３４】
【図１】請求項１の携帯電話機の操作によって、ネットワークを介して商業施設内にある印刷端末から印刷する構図例を示す。
【００３５】
【図２】請求項１の画像情報をウェブサイトに送る構成例である。
【００３６】
【図３】図１の構成のチャートを示す。
【００３７】
【図４】図２の構成のチャートを示す。
【００３８】
【図５】請求項１の形態電話機の操作と印刷端末とのマッチング例の構図を示す。
【図１】
2004171505.tif 000003
【図２】
2004171505.tif 000004
【図３】
2004171505.tif 000005
【図４】
2004171505.tif 000006
【図５】
2004171505.tif 000007